(57)【要約】【課題】      防草シートの側縁部間が捲れ上がってそこに隙間ができるようなことはなく、天候や地面の状態に影響されずに短期間で確実に防草シートを敷設できる方法を提供すること。【解決手段】  樹脂製シート状物からなる防草シートの一側縁部に、他の樹脂製シート状物である防草シートの側縁部を重ね合せ、該重ね合せ部の一部もしくは全部を網目状シートで覆ったのち、網目状シートの上から固定具を使用して網目状シートとともに防草シートを地面に固定することによって防草シートを接合する工程を含む防草シートの敷設方法。【選択図】    図３
2014125837.tif 000002
【特許請求の範囲】
【請求項１】
樹脂製シート状物からなる防草シートの一側縁部に、他の樹脂製シート状物である防草シートの側縁部を重ね合せ、該重ね合せ部の一部もしくは全部を網目状シートで覆ったのち、網目状シートの上から固定具を使用して網目状シートとともに防草シートを地面に固定することによって防草シートを接合する工程を含む防草シートの敷設方法。
【請求項２】
前記樹脂製シート状物が、織布、不織布または多孔性シートである請求項１に記載の防草シートの敷設方法。
【請求項３】
前記合成樹脂製シート状物が、スパンボンド不織布である請求項２に記載の防草シートの敷設方法。
【請求項４】
前記網目状シートが、熱可塑性樹脂を押出成形によって一体成形して得られる網状物またはその延伸物である請求項１〜３のいずれかに記載の防草シートの敷設方法。
【請求項５】
前記固定具が、アンカーピンまたはアンカーピンとワッシャーである請求項１〜４のいずれかに記載の防草シートの敷設方法。
【請求項６】
請求項１〜５のいずれかに記載の方法で敷設した防草シートの上に被覆材を敷き均す防草シートの敷設方法。
【発明の詳細な説明】
【技術分野】
【０００１】
本発明は、防草シートの敷設方法に関する。さらに詳しくは、本発明は防草シートの特定の接合方法を用いる改善された防草シートの敷設方法に関する。
【背景技術】
【０００２】
近年環境問題に対する関心が高まり、再生可能エネルギーへの期待がますます強まってきている。その中でも太陽電池はその安全性と扱いやすさから、クリーンなエネルギー源として期待されている。一般的な太陽電池は、太陽電池モジュールを架台上に設置するタイプである。太陽電池を設置する場合、通常整地した平坦面や傾斜面等の地面に設置される。
【０００３】
しかし、整地表層では雑草が育ってしまい、そのまま放置すると太陽電池モジュールの受光面を雑草が覆って出力低下するという問題が発生する。雑草を除草するにはコストがかかる上に、除草機を使用すると太陽電池架台やその他の施設を傷つける恐れがある。
【０００４】
このような雑草の対策として地面上に防草シートを敷設する方法がある。平坦面や傾斜面等の地面に架台上設けた太陽電池を設置する際に、地面に防草シートを敷設することはすでに提案されている。例えば、特許文献１の図５では、傾斜面に太陽電池を設置するときにゴムシートを防草シートとして敷設しており、特許文献２の図２０には平坦面に太陽電池を設置するときに防草シートを敷設した例が示されている。
【０００５】
整地した平坦面や傾斜面等の地面において、雑草が生えないようにする必要がある場合に、所定範囲の地面に防草シートを敷設することは従前より行われていることである。防草シートを敷設する際には、複数のシートを並べて接合させて敷設されるが、シートの接合方法として防草シートの重ね合せ部に沿って所定間隔置きに固定具としてのアンカーピンを打込む方法が採用されているが、このような方法では隣接する防草シートの側縁部間が捲れ上がってそこに隙間ができ、その隙間に太陽光及び雨水が注がれて雑草が生えてしまうという問題があった。そのような問題を解決する手段として防草シートの重ね合せ部を接着剤や粘着剤によって接合する方法、あるいは接着剤や粘着剤による接合とアンカーピン打込みを併用する方法（例えば特許文献３）が提案されている。
【０００６】
しかしながら、防草シートの重ね合せ部を接着剤によって接着する場合、雨の場合には防草シートの敷設工事は行えず天候の回復を待たなければならないし、地面が湿潤な地盤であるときや積雪地での防草シートの敷設はできないという事情があるので、防草シートの敷設の条件に制約があるのと、工期が短く敷設工事を短時間で確実に完了しなければならない場合には採用できないという問題があった。
【先行技術文献】
【特許文献】
【０００７】
【特許文献１】特開２０００−３３２２８５号公報
【特許文献２】特開２００６−２６９６１０号公報
【特許文献３】特開２００４−３３０３２号公報
【発明の概要】
【発明が解決しようとする課題】
【０００８】
本発明は、前記課題を解決できる防草シートの敷設方法を提供するものである。
本発明は、防草シートの側縁部間が捲れ上がってそこに隙間ができるようなことはなく、天候や地面の状態に影響されずに短期間で確実に防草シートを敷設できる方法を提供するものである。
【課題を解決するための手段】
【０００９】
本発明によって、樹脂製シート状物からなる防草シートの一側縁部に、他の樹脂製シート状物である防草シートの側縁部を重ね合せ、該重ね合せ部の一部もしくは全部を網目状シートで覆ったのち、網目状シートの上から固定具を使用して網目状シートとともに防草シートを地面に固定することによって防草シートを接合する工程を含む防草シートの敷設方法が提供される。
【発明の効果】
【００１０】
本発明により、防草シートの側縁部間が捲れ上がって隙間ができ、その隙間から雑草が生えてくることのない防草シートの敷設方法が提供される。
本発明により、天候や地面の状態に影響されずに短期間で確実に防草シートを敷設できる方法が提供される。
【図面の簡単な説明】
【００１１】
【図１】本発明の樹脂製シート状物の重ね合せ部に網目状シートが載置されている様子を示す概略図である。
【図２】樹脂製シート状物の重ね合せ部に網目状シートが固定具で地面に固定されている部分を示す概略図である。
【図３】樹脂製シート状物が網目状シートの上から固定具で間隔をあけて地面に固定されている様子を示す概略図である。
【図４】防草シートを敷設した地面に架台上の太陽電池が設置されている様子を示す概略図である。
【発明を実施するための形態】
【００１２】
本発明は、樹脂製シート状物からなる防草シートの一側縁部に、他の樹脂製シート状物である防草シートの側縁部を重ね合せ、該重ね合せ部の一部もしくは全部を網目状シートで覆ったのち、網目状シートの上から固定具を使用して網目状シートとともに防草シートを地面に固定することによって防草シートを接合する工程を含む防草シートの敷設方法を提供するものである。
【００１３】
本発明の樹脂製シート状物は、樹脂製繊維の織布、有孔又は無孔の不織布、多孔性シートなどを用いることができる。中でも不織布が好ましく使用される。樹脂としては、ポリエチレンやポリプロピレン等のオレフィン、ポリエステル、ポリアミドなどを挙げることができる。
【００１４】
不織布としては、湿式法または乾式法で得られる短繊維であっても、スパンボンド法またはメルトブロー法で得られるような長繊維であってもよい。スパンボンド法またはメルトブロー法で得られるような長繊維不織布が好ましい。特には、ポリプロピレンまたはポリエステル製のスパンボンド不織布が好ましく使用される。
【００１５】
樹脂製シート状物は、通常帯状シートの長尺物が用いられる。敷設の目的に合わせて所定の長さに切断されて、帯状シートを複数接合して敷設される。
【００１６】
本発明の樹脂製シート状物の幅には特に制限はなく、製造上及び使用上の便宜に応じて適宜選択することができる。
【００１７】
本発明の網目状シートとしては、熱可塑性樹脂を押出成形によって一体成形して得られる網状物またはその１軸又は２軸延伸物や、樹脂製板状物を格子状に加工したものや、高強度繊維素材のマルチフィラメントを格子状に編んだものを挙げることができる。
【００１８】
熱可塑性樹脂としてはポリエチレン、ポリプロピレン等のポリオレフィンが好ましい。中でもポリエチレンが好ましい。また、前記繊維素材としては、アラミド繊維、全芳香族ポリエステル繊維、超高分子量ポリエチレン繊維、超高分子量ポリビニルアルコール繊維、ポリアセタール繊維などの合成繊維、ガラス繊維、炭素繊維などの無機繊維などを例示することができる。
【００１９】
網目状シートとして金属製網状物を用いることもできるが、金属製網状物は錆びによって劣化し易いので、樹脂製もしくは無機材料製のものが好ましく、特には樹脂製のものが好ましい。
【００２０】
上記網目状シートとしては、熱可塑性樹脂を押出成形によって一体成形して得られる網状物またはその１軸又は２軸延伸物が特に好ましく使用される。
樹脂網目状シートの網目形状には特に制限はなく、角目、菱目、六角目、丸目、その他の形状から適宜選択して使用することができる。
【００２１】
本発明の防草シート同士を接合する方法は、防草シートである樹脂製シート状物の一側縁部に、他の樹脂製シート状物の側縁部を重ね合せ、重ね合せ部の一部もしくは全部を網目状シートで覆ったのち、網目状シートの上から固定具を使用して網目状シートとともに防草シートを地面に固定することによって行われる。
【００２２】
樹脂製シート状物の側縁部同士を重ね合せる幅には特に制限はないが、重ね合せ部に隙間が生じることがなく、地面に堅固に固定するという観点から通常１〜３０ｃｍ、好ましくは１０〜２０ｃｍ程度であることが望ましい。
【００２３】
樹脂製シート状物の側縁部同士を重ね合せた重ね合せ部の一部もしくは全部を網目状シートで覆うように網目状シートを載置する。網目状シートの長手方向は、樹脂製シート状物の重ね合せ部の長手方向と一致させ、好ましくは網目状シートの短手方向が重ね合せ部の短手方向全部と、さらに重ね合せ部外にあるそれぞれの樹脂製シート状物の一部を覆うように載置されていることが好ましい。したがって、重ね合せ部の短手方向幅が１０ｃｍであるとき、網目状シートの短手方向幅は２０〜４０ｃｍ程度であることが好ましい。
【００２４】
樹脂製シート状物は、網目状シートの上から固定具を使用して網目状シートとともに防草シートを地面に固定される。固定具としては、網目状シートとともに樹脂製シート状物を地面に固定することができるものであればとくに制限はないが、通常アンカーピンと呼ばれる固定具が好ましく用いられる。アンカーピンとしては、通常の形状ものが使用できるが、Ｕ型アンカーピンを用いて網目状シートとともに樹脂製シート状物を地面に固定できる位置で地面に固定してもよい。
【００２５】
アンカーピンを用いて防草シートを地面に固定するとき、ピンで貫いた穴から雑草が生えてくることがあるので、アンカーピンを用いるときにワッシャーを使用することによってそれを防ぐことができる。ワッシャーが網目状シートの網目よりも大きいときには、地面への固定をより堅固にすることができるので、ワッシャーの使用は好ましい態様である。通常形状のアンカーピン（Ｌ型アンカーピン）を用いるときには、ワッシャーの使用は特に推奨される。
【００２６】
防草シートをアンカーピンで地面に固定する位置は、樹脂製シート状物の重ね合せ部上で適当な間隔（例えば１ｍ）をあけた位置とすることが望ましい。加えて、樹脂製シート状物の重ね合せ部外の樹脂製シート状物の部分にも適当な位置においてアンカーピンで地面に固定してもよい。そうすることによって樹脂製シート状物の接合をより確実にすることができる。
【００２７】
図１は、本発明の樹脂製シート状物の接合例を示す概略図である。図１では、ポリプロピレン製スパンボンド不織布からなる樹脂製シート状物１−１と、他の樹脂製シート状物１−２とが、それぞれの側縁部で重ね合せて重ね合せ部２を形成している。重ね合せ部２の全部を覆う形で、ポリエチレン例押出一体成形網目状物である網目状シート３が載置されている。図１ではまだ固定具を使用して樹脂製シート状物が網目状シートとともに地面には固定されていない。樹脂製シート状物１−１と、他の樹脂製シート状物１−２とは、約１０ｃｍの幅で重ね合されている。
【００２８】
図２は、樹脂製シート状物が網目状シートの上から固定具としてアンカーピンを使用して網目状シートとともに地面には固定されている様子を示す概略図である。アンカーピン４に円形のワッシャー５が使用されていることがわかる。
【００２９】
図３は、樹脂製シート状物が網目状シートの上から固定具としてワッシャーを使用したアンカーピンによって網目状シートとともに、適当な間隔をあけて地面に固定されている様子を示す概略図である。固定具と固定具の間隔は、樹脂製シート状物と網目状シートが固定されていればよく、その間隔には特に制限はないが、０．５〜１．５ｍ程度の間隔で固定具によって固定するのが好ましい。図３では約１ｍ間隔でアンカーピンによって固定されている。
【００３０】
図４は、地面８に本発明の防草シート１が敷設されており、その上に架台７上に設けられた太陽電池モジュール６が設置されている様子が示されている。本願発明の防草シートの活用例である。
【００３１】
前記したような樹脂製シート状物からなる防草シートの接合を適宜繰り返すことによって、所望の地面上の面積に防草シートを敷設することができる。
【００３２】
本発明の方法によって敷設した防草シートの上に砂利、砕石、コンクリート砕石等の被覆材を敷き均すと、防草シートが紫外線によって劣化して破損し、そこから雑草が育ってしまうのを防ぐことができる。
【産業上の利用可能性】
【００３３】
本発明により提供される防草シートの敷設方法は、防草シートの側縁部間が捲れ上がってそこに隙間ができ、その隙間から雑草が生えてくることのない防草シートの敷設方法である。
また、本発明により提供される防草シートの敷設方法は、天候や地面の状態に影響されずに短期間で確実に防草シートを敷設できる防草シートの敷設方法である。
本発明により提供される防草シートの敷設方法によって、雨の場合でも天候の回復を待つことなく防草シートの敷設工事を行えるし、地面が湿潤な地盤でも、積雪地でも防草シートの敷設ができるので、敷設地面の条件に制約はなく、敷設工事を短時間で確実に完了できるので、工期が短くても実施することができる防草シートの敷設方法である。
【符号の説明】
【００３４】
１．防草シート
１−１．樹脂製シート状物
１−２．他の樹脂製シート状物
２．重ね合せ部
３．網目状シート
４．アンカーピン
５．ワッシャー
６．太陽電池モジュール
７．架台
８．地面
【図１】
2014125837.tif 000003
【図２】
2014125837.tif 000004
【図３】
2014125837.tif 000005
【図４】
2014125837.tif 000006